(57)【要約】      （修正有）【課題】多様な機能を有する火ばさみを提供する。【解決手段】本考案に係る火ばさみ１００は、第１方向に延びる一対の第１アーム１および第２アーム２と、第１アームおよび第２アームにおける第１方向の一方側の端部同士を連結する連結部３と、第１アームおよび第２アームにおける第１方向の他方側の端部にそれぞれ設けられた突出部４と、を備える。突出部は、第１方向に直交する第２方向の一方側へ突出する第１突出部と、第２方向の他方側へ突出する第２突出部と、を有する。【選択図】図１
0003234428.tif 000002
【実用新案登録請求の範囲】
【請求項１】
第１方向に延びる一対の第１アームおよび第２アームと、
前記第１アームおよび第２アームにおける前記第１方向の一方側の端部同士を連結する連結部と、
前記第１アームおよび第２アームにおける前記第１方向の他方側の端部にそれぞれ設けられた突出部と、を備え、
前記突出部は、
前記第１方向に直交する第２方向の一方側へ突出する第１突出部と、
前記第２方向の他方側へ突出する第２突出部と、を有する、
火ばさみ。
【請求項２】
前記第１突出部は、前記第２方向に沿って直線状に延びる、
請求項１に記載の火ばさみ。
【請求項３】
前記第２突出部は、
前記第２方向に沿って直線状に延びる直線部と、
前記直線部の先端から前記第１方向の一方側へ向けて屈曲する屈曲部とを有する、
請求項１または２に記載の火ばさみ。
【請求項４】
前記第１アームおよび第２アームにおける前記第１方向の他方側には、他の部位よりも幅が大きい幅広部が設けられ、当該幅広部の前記第１方向の他方側に前記突出部が設けられる、
請求項１から３のいずれか１項に記載の火ばさみ。
【考案の詳細な説明】
【技術分野】
【０００１】
本考案は、火ばさみに関する。
【背景技術】
【０００２】
例えば、バーベキューやキャンプにおいて使用される火ばさみが公知である（例えば、特許文献１参照）。特許文献１の火ばさみは、一対のアームが連結部を介して開閉可能に連結されている。
【先行技術文献】
【特許文献】
【０００３】
【特許文献１】実用新案登録第３２１３６７０号公報
【考案の概要】
【考案が解決しようとする課題】
【０００４】
特許文献１の火ばさみは、先端部で炭や薪などを把持する把持機能しかない。近年は、更なる多様な機能を有する火ばさみが要望されている。
【０００５】
本考案の目的は、多様な機能を有する火ばさみを提供することである。
【課題を解決するための手段】
【０００６】
前述した課題を解決し、目的を達成するために、本考案の一態様に係る火ばさみは、第１方向に延びる一対の第１アームおよび第２アームと、前記第１アームおよび第２アームにおける前記第１方向の一方側の端部同士を連結する連結部と、前記第１アームおよび第２アームにおける前記第１方向の他方側の端部にそれぞれ設けられた突出部と、を備え、前記突出部は、前記第１方向に直交する第２方向の一方側へ突出する第１突出部と、前記第２方向の他方側へ突出する第２突出部と、を有する。
【考案の効果】
【０００７】
本考案に係る火ばさみは、薪や炭を把持する機能に加えて、鍋の蓋を持ち上げる機能、および、つるに引っ掛けて鍋を持ち上げる機能などの種々の機能を有する。
【図面の簡単な説明】
【０００８】
【図１】図１は、実施形態による火ばさみの斜視図である。
【図２】図２は、図１の火ばさみの下端部の拡大斜視図である。
【図３】図３は、火ばさみを後側から見た図である。
【図４】図４は、火ばさみを側方から見た図である。
【図５】図５は、図４の下端部の拡大図である。
【図６】図６は、火ばさみの使用態様の一例を示す斜視図である。
【図７】図７は、火ばさみの使用態様の他の例を示す斜視図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。なお、以下において、長手方向を上下方向、Ｘ方向または第１方向とも呼び、短手方向を前後方向、Ｙ方向または第２方向とも呼ぶ。
【００１０】
図１は、実施形態による火ばさみの斜視図である。図２は、図１の火ばさみの下端部の拡大斜視図である。図３は、火ばさみを後側から見た図である。図４は、火ばさみを側方から見た図である。図５は、図４の下端部の拡大図である。
【００１１】
実施形態に係る火ばさみ１００は、第１アーム１と、第２アーム２と、連結部３と、突出部４と、を備える。
【００１２】
図１および図３に示すように、第１アーム１および第２アーム２は、左右一対に設けられる。第１アーム１および第２アーム２は、長手方向（上下方向、Ｘ方向または第１方向）に直線状に延びる。第１アーム１および第２アーム２は、把持部１１０を有する。把持部１１０には、例えばゴム等からなる長尺部材をらせん状に巻きつけている。
【００１３】
連結部３は、第１アーム１および第２アーム２におけるＸ１側（上側、第１方向の一方側）の端部同士を連結する。連結部３は、前後方向から見てＵ字形状を有する。連結部３は、弾性を有する。このため、第１アーム１および第２アーム２に荷重を加えて互いに近づけた後に、当該荷重を除去した場合（例えば、第１アーム１および第２アーム２を把持して近づけた後に離した場合）には、第１アーム１および第２アーム２は、連結部３によって互いに遠ざかって元の状態に戻る。
【００１４】
図４および図５に示すように、第１アーム１および第２アーム２における下端部（第１方向の他方側の端部）には、他の部位よりも幅が大きい幅広部１３０が設けられる。図５に示すように、幅広部１３０におけるＹ方向（前後方向、Ｙ方向または第２方向）の幅Ｄ１は、他の部位の幅Ｄ２よりも大きい。幅広部１３０には、Ｘ方向に沿って３つの貫通孔１４０が設けられる。貫通孔１４０には、図２に示すボルト１２０が締結される。つまり、図２に示すように、第１アーム１のボルト１２０の頭部１２１は、第２アーム２側に位置し、第２アーム２のボルト１２０の頭部１２１は、第１アーム１側に位置する。このように、第１アーム１のボルト１２０の頭部１２１と、第２アーム２のボルト１２０の頭部１２１とは、互いに対向している。なお、ボルト１２０の頭部１２１には、小さな凹凸が設けられる。この凹凸によって、薪や炭を把持した場合に、確実に把持することができる。
【００１５】
また、図５に示すように、第１アーム１および第２アーム２における下端部（第１方向の他方側の端部）には、それぞれ突出部４が設けられる。具体的には、突出部４は、幅広部１３０の下側に位置する。突出部４は、Ｙ方向（前後方向、Ｙ方向または第２方向）に延びる。突出部４は、第１突出部４１と、第２突出部４２と、を有する。
【００１６】
第１突出部４１は、Ｙ２側（第２方向の一方側）へ突出する。第１突出部４１は、Ｙ方向に沿って直線状に延びる。具体的には、第１突出部４１は、Ｙ２側に向かうに従って先細りする。つまり、第１突出部４１における下面４１１は、Ｙ２側に向かうに従って上面４１２に近づくように傾斜して延びる。
【００１７】
第２突出部４２は、Ｙ１側（第２方向の他方側）へ突出する。第２突出部４２は、直線部４２１と、屈曲部４２２とを有する。直線部４２１は、Ｙ方向に沿って直線状に延びる。屈曲部４２２は、直線部４２１の先端４２１ａで屈曲して、Ｘ１側（第１方向の一方側）へ向けて延びる。第２突出部４２は、略Ｌ字状である。
【００１８】
次に、火ばさみ１００の使用態様について説明する。図６は、火ばさみの使用態様の一例を示す斜視図である。図７は、火ばさみの使用態様の他の例を示す斜視図である。
【００１９】
図６に示すように、第１突出部４１は、例えば、鍋２００の蓋２１０の取っ手２１１を引っ掛けて鍋２００を持ち上げる場合に使用する。具体的には、左右の突出部同士４、４を近づけたのち、第１突出部４１を取っ手２１１の下側に挿入し、そのまま、火ばさみ１００を上側に持ち上げることにより、蓋２１０を持ち上げることができる。
【００２０】
また、図７に示すように、第２突出部４２は、例えば、鍋２００のつる２２０を引っ掛けて鍋２００を持ち上げる場合に使用する。具体的には、左右の突出部同士４、４を近づけたのち、第２突出部４２をつる２２０の下側に挿入し、そのまま、火ばさみ１００を上側に持ち上げることにより、鍋２００を持ち上げることができる。
【００２１】
以上説明したように、火ばさみ１００は、長手方向（上下方向、Ｘ方向または第１方向）に延びる一対の第１アーム１および第２アーム２と、第１アーム１および第２アーム２におけるＸ１側の端部同士を連結する連結部３と、第１アーム１および第２アーム２におけるＸ２側の端部にそれぞれ設けられた突出部４と、を備える。突出部４は、Ｙ２側（第２２方向の一方側）へ突出する第１突出部４１と、Ｙ１側（第２方向の他方側）へ突出する第２突出部４２と、を有する。
【００２２】
火ばさみ１００は、第１突出部４１と、第２突出部４２と、を有する。従って、一対の幅広部１３０、１３０に設けられたボルト１２０の頭部１２１同士で薪や炭を把持する機能に加えて、第１突出部４１で蓋２１０を持ち上げる機能（図６参照）、および、第２突出部４２をつる２２０に引っ掛けて鍋２００を持ち上げる機能（図７参照）も有する。このように、本実施形態に係る火ばさみ１００は、種々の機能を有する。
。
【００２３】
第１突出部４１は、Ｙ方向（第２方向）に沿って直線状に延びる。これによれば、前述したように、第１突出部４１を取っ手２１１の下側に挿入して蓋２１０を持ち上げる際に便利である。
【００２４】
第２突出部４２は、Ｙ方向（第２方向）に沿って直線状に延びる直線部４２１と、直線部４２１の先端４２１ａからＸ１側（第１方向の一方側）へ向けて屈曲する屈曲部４２２とを有する。これによれば、前述したように、第２突出部４２をつる２２０に引っ掛けて鍋２００を持ち上げる際に、第２突出部４２がつる２２０から外れにくい。
【００２５】
第１アーム１および第２アーム２における下端部には、幅広部１３０が設けられ、幅広部１３０の下側に突出部４が設けられる。幅広部１３０は、他の部位よりも幅が大きいため、剛性が高い。従って、突出部４を支持する力もより大きくなる。
【符号の説明】
【００２６】
１  第１アーム
２  第２アーム
３  連結部
４  突出部
４１  第１突出部
４２  第２突出部
１００  火ばさみ
１３０  幅広部
４２１  直線部
４２１ａ  先端
４２２  屈曲部
【図１】
0003234428.tif 000003
【図２】
0003234428.tif 000004
【図３】
0003234428.tif 000005
【図４】
0003234428.tif 000006
【図５】
0003234428.tif 000007
【図６】
0003234428.tif 000008
【図７】
0003234428.tif 000009